【手続補正書】
【提出日】平成17年5月26日(2005.5.26)
【手続補正１】
【補正対象書類名】明細書
【補正対象項目名】特許請求の範囲
【補正方法】変更
【補正の内容】
【特許請求の範囲】
【請求項１】  膨張可能な装置を膨張させるための膨張装置において、亜酸化窒素を収容し且つ前記膨張可能な装置に膨張ガスを供給する第一室と、前記亜酸化窒素の分解を開始するために前記第一室の内容物に熱伝導するように起動可能な熱源と、前記第一室からの膨張ガスが当該膨張装置から放出されるときに通ることができる少なくとも一つの出口開口と、該少なくとも一つの出口開口から膨張ガスが流出するのを常時防止するための第一シール手段と、膨張ガスが前記少なくとも一つの出口開口を通って流出することができるようにすることによって前記第一室からの膨張ガスの少なくとも一部が当該膨張装置から放出されるように前記第一シール手段を開口するために起動可能な開口手段と、前記第一室から放出された内容物を前記膨張可能な装置へ指向する指向手段とを具備する膨張装置。
【請求項２】  請求項１に記載の膨張装置を作動する方法であって、前記開口手段を起動させて前記第一シール手段を開口し、膨張ガスが前記少なくとも一つの出口開口を流れることができるようにする工程と、前記少なくとも一つの出口開口を通して周囲温度の亜酸化窒素を放出する工程とを具備する方法。
【請求項３】  前記熱源を起動して熱を前記第一室の内容物へ伝導して該内容物の温度を上昇させる工程と、周囲温度の亜酸化窒素の前記放出を開始した後で前記第一室の加熱された内容物の少なくとも一部を前記少なくとも一つの出口開口を通して放出させる工程とをさらに具備する請求項２に記載の方法。
【請求項４】  前記第一シール手段が前記第一室内の圧力の所定の上昇が実現されたときに開口する請求項１に記載の膨張装置。
【請求項５】  請求項４に記載の膨張装置を作動する方法であって、前記熱源を起動して熱を前記第一室の内容物に伝導して該第一室内の温度と圧力とを上昇させる工程と、前記第一室内の圧力の所定の上昇が実現されたときに前記第一シール手段を開口する工程と、前記第一室内の加熱された内容物を前記膨張装置から放出する工程とを具備する方法。
【請求項６】  前記第一室に貯蔵されている亜酸化窒素の少なくとも一部がガス状である請求項１に記載の膨張装置。
【請求項７】  前記第一室に貯蔵されている亜酸化窒素の少なくとも一部が液体状である請求項１に記載の膨張装置。
【請求項８】  前記第一室が少なくとも１種類の不活性ガスをさらに収容している請求項１に記載の膨張装置。
【請求項９】  前記第一室が酸素を含んでいる別のガスを収容している請求項８に記載の膨張装置。
【請求項１０】  前記第一室が酸素を含んでいる別のガスを収容している請求項１に記載の膨張装置。
【請求項１１】  前記第一室内に収容されている亜酸化窒素と流通し、一部が可燃性である一定充填量のガス発生剤の材料と、起動されると前記可燃性ガス発生剤を点火して前記膨張可能な装置を膨張させる高温の膨張生成ガスを形成する点火装置とをさらに具備する請求項１に記載の膨張装置。
【請求項１２】  請求項１１に記載の装置を作動する方法であって、前記可燃性ガス発生剤を点火して高温の膨張生成ガスを形成する工程を具備する方法。
【請求項１３】  第二室に通常貯蔵された一定充填量のガス発生剤の材料であって少なくとも一部が可燃性であるガス発生剤の材料をさらに具備し、該一定充填量のガス発生剤材料の少なくとも一部が前記第一室の内容物に流通するように前記第二室が前記第一室に対して開口可能であり、起動されると前記可燃性ガス発生剤を点火して前記膨張可能な装置を膨張させる高温の膨張生成ガスを形成する点火装置をさらに具備する請求項１に記載の膨張装置。
【請求項１４】  前記一定充填量のガス発生剤の材料が非酸化材料である請求項１３に記載の膨張装置。
【請求項１５】  請求項１４に記載の装置を作動する方法であって、前記可燃性ガス発生剤を点火して高温の膨張生成ガスを形成する工程を具備する方法。
【請求項１６】  前記開口手段が発射体と該発射体を噴射させて前記第一シール手段を破裂させるための手段とを具備する請求項１に記載の膨張装置。
【請求項１７】  前記第一室内に収容されている亜酸化窒素と流通する高温の膨張生成ガスを形成するように少なくとも一部が可燃性である一定充填量のガス発生剤の材料と、起動されると前記可燃性ガス発生剤を点火して高温膨張生成ガスを形成する点火装置とをさらに具備し、前記発射体がさらに前記点火装置を起動させるように機能する請求項１６に記載の膨張装置。
【請求項１８】  前記第一室を前記熱源に隣接した第一部分と前記少なくとも一つの出口開口に隣接した第二部分とに分離する分離手段をさらに具備し、該分離手段が前記第一部分と第二部分との間における前記第一室の内容物の流通を制限する請求項１に記載の膨張装置。
【請求項１９】  前記分離手段が該分離手段を貫通する少なくとも一つの流路を有し、該少なくとも一つの流路を第二シール手段が常時閉鎖し、該第二シール手段が前記第一部分と第二部分との間における前記少なくとも一つの流路を介した流通を可能にするように予め選択された作動状態で開口可能である請求項１８に記載の膨張装置。
【請求項２０】  請求項１９に記載の膨張装置を作動する方法であって、前記第一室を開口して前記膨張装置から周囲温度の亜酸化窒素を放出する工程と、前記熱源を起動して熱を前記第一室の前記第一部分の内容物に伝導して前記第一部分内の温度と圧力とを上昇させる工程と、前記第一室が開口した後に前記少なくとも一つの流路を開口して前記第一部分と第二部分との間における流通を可能にする工程とを具備する方法。
【請求項２１】  複数の内部流絞りオリフィスをさらに具備し、該内部流絞りオリフィスが当該膨張装置が起動されたときに該内部流絞りオリフィスの少なくとも一つを通る材料の流れを選択的に制限する流制限部材を有する請求項１に記載の膨張装置。
【請求項２２】  膨張可能な装置を膨張させるための適応出力インフレータ装置において、亜酸化窒素を収容し且つ膨張ガスを前記膨張可能な装置に供給する第一室と、前記亜酸化窒素の分解を開始するために前記第一室に熱伝導するように起動可能な熱源と、前記第一室からの膨張ガスが当該適応出力インフレータ装置から放出されるときに通ることができる少なくとも一つの出口開口と、該少なくとも一つの出口開口から膨張ガスが流出するのを常時防止するための第一シール手段と、膨張ガスが前記少なくとも一つの出口開口を通って流出することができるようにすることによって前記第一室からの膨張ガスの少なくとも一部が当該適応出力インフレータ装置から放出されるように前記第一シール手段を開口するために起動可能な開口手段と、少なくとも一部が可燃性である一定充填量のガス発生剤の材料を貯蔵すると共に該一定充填量のガス発生剤の材料の少なくとも一部が前記第一室の内容物に流通するように前記第一室に対して開口可能な第二室と、起動されると前記可燃性ガス発生剤を点火して前記膨張可能な装置を膨張させる高温の膨張生成ガスを形成する点火装置と、前記第一室から放出された内容物を前記膨張可能な装置へ指向する指向手段とを具備する適応出力インフレータ装置。
【請求項２３】  前記第一室が少なくとも一種類の不活性ガスをさらに収容している請求項２２に記載の適応出力インフレータ装置。
【請求項２４】  前記第一室が酸素を含んでいる別のガスを収容している請求項２３に記載の適応出力インフレータ装置。
【請求項２５】  前記第一室が酸素を含んでいる別のガスを収容している請求項２２に記載の適応出力インフレータ装置。
【請求項２６】  前記貯蔵されている一定充填量のガス発生剤の材料が非酸化材料である請求項２２に記載の適応出力インフレータ装置。
【請求項２７】  膨張可能な装置を膨張させる膨張材料を形成する装置において、複数の内部流絞りオリフィスを具備し、該内部流絞りオリフィスが当該装置が起動されたときに該内部流絞りオリフィスの少なくとも一つを通る材料の流れを選択的に制限する流制限部材を有する改良。
【請求項２８】  前記流制限部材が圧力感知するものであり、最初に前記装置が起動されると前記内部流絞りオリフィスの少なくとも一つを通る流れを完全に制限すると共に所定の圧力が前記流制限部材に加わると該流制限部材が選択的に開口して以前に完全に流れを制限されていた内部流れ絞りオリフィスを通る流れを可能にする請求項２７に記載の改良。
【請求項２９】  前記流制限部材が圧力感知するものであり、最初に前記装置が起動されると前記内部流絞りオリフィスの少なくとも一つを通る流れを部分的に制限すると共に所定の圧力が前記流制限部材に加わると該流制限部材が選択的に開口してより大きな相対流が前記内部流絞りオリフィスを通るのを可能にする請求項２７に記載の改良。